(57)【要約】【課題】  インクジェットヘッドのノズルの乾燥を防止するキャップと、インク吐出用のキャップの切り替えが容易に、効率的に使用できるインクジェットプリンターを提供する。【解決手段】  キャッピングユニットは、キャリッジに対して昇降する機構を備える。キャッピングユニットには、記録ヘッドを覆うキャップと、記録ヘッドから吐出されたインクを受けるインク受が、各記録ヘッドに対応するように備えられている。インク受とキャップを隣接して設けることで、インクの排出とキャップの切り替え時間を短縮でき、機能切り換え時のインクの乾燥を抑制できる。【選択図】  図２
2017154350.tif 000002
【特許請求の範囲】
【請求項１】
記録媒体にインクを吐出する複数のノズルを有する複数の記録ヘッドと、前記記録媒体を搬送する搬送手段と、前記記録ヘッドを搭載し、前記記録媒体の搬送方向に対して交差する方向に移動するキャリッジと、前記記録ヘッドの前記ノズルが配置されたノズル面を覆うキャップと、前記キャップを固定するフレームと、前記フレームを前記ノズル面に対して相対的に昇降させる昇降手段と、を有するインクジェットプリンターにおいて、
前記記録ヘッドの夫々に対応して配置され、前記記録ヘッドから排出される前記インクを受けるインク受を有し、
前記記録ヘッドの夫々を離隔して前記キャリッジに配置し、
前記記録ヘッドが前記キャップに対向する位置と前記インク受に対向する位置とを前記キャリッジを移動することで選択可能にするため、前記フレームに夫々の前記記録ヘッドに対応する前記キャップと前記インク受とが隣り合って交互に配置され、
前記インク受は前記記録ヘッドに当接する当接部と該記録ヘッドから排出される前記インクを受ける溝を有し、該溝には、前記当接部が前記記録ヘッドに当接したときに前記ノズルに対して所定の間隔で対向する凸部と、前記インクを外部に排出する排出口と、が配置されており、前記溝は前記排出口に向かい漸次深くなるように構成されており、
前記キャップは、前記記録ヘッドの前記ノズルを覆った状態で、前記キャップ外に連通する細孔を有することを特徴とするインクジェットプリンター。
【請求項２】
前記記録ヘッドは、前記記録ヘッドのノズル面が前記キャリッジから突出して前記キャリッジに配置され、
前記記録ヘッドに前記キャップが相対する位置にあるときに、前記昇降手段によって、前記フレームを前記記録ヘッド方向に移動させた場合、前記キャップが前記記録ヘッドのノズル面に当接した後に、前記当接部が前記キャリッジに当接し、前記昇降手段による上昇が停止することを特徴とする請求項１に記載のインクジェットプリンター。
【請求項３】
前記記録ヘッドに対して前記インク受が相対する位置にあるときに、前記昇降手段によって、前記フレームを前記記録ヘッド方向に移動させた場合、前記キャリッジに前記キャップが当接する前に、前記当接部が前記キャリッジに当接し、前記昇降手段による上昇が停止することを特徴とする請求項１または請求項２に記載のインクジェットプリンター。
【請求項４】
各前記記録ヘッドに対応する前記インク受が前記キャップよりも、前記記録媒体を支持するプラテンに近い位置に配置されていることを特徴とする請求項１から請求項３の何れか１項に記載のインクジェットプリンター。
【発明の詳細な説明】
【技術分野】
【０００１】
本発明は、インクジェットプリンターに関する。
【背景技術】
【０００２】
インクジェット式の記録ヘッドを搭載したプリンターは、広く知られている。インクジェット式の記録ヘッドは、ノズルからインクの小滴を吐出して記録媒体に画像を記録する。記録ヘッドは、ノズルに異物や増粘したインクが詰まることで、吐出不良を起こす場合がある。このような問題を生じさせないため、記録ヘッドのノズル面およびノズル内を、定期的に清掃している。例えば、記録ヘッドのノズル面に付着した異物を除去するため、ノズル面をワイパーによってワイピングする。また、インク滴を受けるトレーにインクを吐出し、増粘したインクを排出することでノズルの詰まりを防止している。また、装置を使用しない場合に、ノズル面にキャップを密着させて密閉する。これにより、ノズル内のインクの乾燥を防止し、インクが増粘しないように保持できる。このような清掃や保湿を行い、吐出不良を予防している。
【０００３】
例えば、特開２００９‐３４９１２号公報には、記録ヘッドを覆って保湿する保湿用キャップ装置と、予備吐出用キャップ装置とを備えたインクジェットプリンターが記載されている。この技術では、記録ヘッドの保湿時に、不使用の予備吐出用キャップ装置が乾燥しないように、予備吐出用キャップの開口を保湿用キャップ装置に重ねて覆うようにしている。
【先行技術文献】
【特許文献】
【０００４】
【特許文献１】特開２００９‐３４９１２号公報
【発明の概要】
【発明が解決しようとする課題】
【０００５】
従来の技術では、保湿用キャップをスライドさせる機構と、予備吐出用キャップを昇降させる機構を備えている。保湿時に、保湿用キャップを、ノズル面の下方であり、かつ予備吐出用キャップの上方に、スライドさせ、この状態でさらに予備吐出用キャップを上昇させ、保湿用キャップの下に予備吐出用キャップを重ね、保湿用キャップを押し上げてノズル面を覆っていた。そのため、機構が複雑になると共に、保湿と予備吐出の切り替えに時間が多くかかる問題があった。
【課題を解決するための手段】
【０００６】
上述の課題を解決する本発明のインクジェットプリンターは、記録媒体にインクを吐出する複数のノズルを有する複数の記録ヘッドと、前記記録媒体を搬送する搬送手段と、前記記録ヘッドを搭載し、前記記録媒体の搬送方向に対して交差する方向に移動するキャリッジと、前記記録ヘッドの前記ノズルが配置されたノズル面を覆うキャップと、前記キャップを固定するフレームと、前記フレームを前記ノズル面に対して相対的に昇降させる昇降手段と、を有するインクジェットプリンターにおいて、前記記録ヘッドの夫々に対応して配置され、前記記録ヘッドから排出される前記インクを受けるインク受を有し、前記記録ヘッドの夫々を離隔して前記キャリッジに配置し、前記記録ヘッドが前記キャップに対向する位置と前記インク受に対向する位置とを前記キャリッジを移動することで選択可能にするため、前記フレームに夫々の前記記録ヘッドに対応する前記キャップと前記インク受とが隣り合って交互に配置され、前記インク受は前記記録ヘッドに当接する当接部と該記録ヘッドから排出される前記インクを受ける溝を有し、該溝には、前記当接部が前記記録ヘッドに当接したときに前記ノズルに対して所定の間隔で対向する凸部と、前記インクを外部に排出する排出口と、が配置されており、前記溝は前記排出口に向かい漸次深くなるように構成されており、前記キャップは、前記記録ヘッドの前記ノズルを覆った状態で、前記キャップ外に連通する細孔を有することを特徴とするインクジェットプリンター。
【発明の効果】
【０００７】
本発明によれば、インク吐出用のキャップと保湿用のキャップの切り替えが容易に、早くでき、装置を効率的に使用できるインクジェットプリンターを提供できる。
【図面の簡単な説明】
【０００８】
【図１】図１は、インクジェットプリンターの全体を示す概略図である。
【図２】図２は、キャッピングユニットを上方から見た場合の図である。
【図３】図３は、キャップとインク受を説明する図である。
【図４】図４は、インク受を説明する図である。
【図５】図５は、キャッピングユニットの動作を説明する図である。
【図６】図６は、インクジェットプリンターのブロック図である。
【発明を実施するための形態】
【０００９】
図面を用いて、本発明の実施形態を説明する。
【００１０】
図１は、インクジェットプリンターの全体を示す概略図である。この図を用いて、インクジェットプリンターについて説明する。インクジェットプリンター１は、インクジェット式の記録ヘッドをキャリッジ７に搭載し、記録媒体２に対して記録ヘッドからインクを吐出することで、画像を記録する。キャリッジ７の移動方向を主走査方向とも呼ぶ。すなわち、キャリッジ７の主走査方向の往路と復路とで記録媒体２にインクを吐出し、記録媒体２にインクのドットを形成し、画像を記録する。記録媒体２は、キャリッジ７の移動方向に対して、例えば直行する方向など、交差する方向に搬送される。この記録媒体２の搬送方向を副走査方向とも呼ぶ。記録ヘッドには、副走査方向に沿って、列状に配置された複数のノズルが備わる。キャリッジ７を移動させながら、そのノズル列からインクを吐出することで、ノズル列の幅の画像を記録することができる。キャリッジ７を移動させながらインクを吐出することと、記録媒体２の搬送とを交互に行うことで、所望の画像が記録できる。記録媒体２は、紙、プラスチックフィルムなどである。
【００１１】
キャリッジ７に搭載されている記録ヘッドは、カラー記録を行うために、複数の色のインクに対応した複数の記録ヘッドが搭載されている。記録ヘッドの記録媒体２側の面には、複数のノズル列が配置されている。ノズル列の列方向は記録媒体の搬送方向に沿っている。そのため、ノズル面は記録媒体２の搬送方向に長い形状になっている。
【００１２】
キャリッジ７は、インクジェットプリンター１の長手方向に沿って配置されたレール９に沿って移動し、このレール９に沿ってプラテン３が配置されている。プラテン３には、吸引孔が多数備わる。また、プラテン３の下部には、吸引室が備わる。吸引ファンによって吸引室の空気が吸われ、プラテン３上に搬送された記録媒体２を吸引孔で吸着する。プラテン３上の記録媒体２は、プラテン３の表面に沿って平坦に支持される。
【００１３】
プラテン３によって記録媒体２を平坦に支持することができ、平坦に支持された記録媒体２の上方をキャリッジ７が移動する。すなわち、記録媒体２の表面に対してノズル面が対向しながら移動し、所望の位置にインクを吐出することができる。これにより、各ノズルから記録媒体２までの距離を均一にして記録することができ、好適な画像を得ることができる。
【００１４】
レール９に沿って、無端ベルト８が設けられている。無端ベルト８の両端にはプーリーが配置され、片方のプーリーに無端ベルト８を駆動するためのモーターが接続されている。このモーターを駆動することで、無端ベルト８に固定されたキャリッジ７が、レール９に沿って移動する。また、キャリッジ７はレール９にベアリングによって移動自在に接続されている。
【００１５】
キャリッジ７の位置は、キャリッジ７の移動方向に沿って設けられたリニアスケール１２を、キャリッジ７に搭載したセンサーによって読取ることで、取得し、利用することができる。例えば、一般にリニアエンコーダーと呼ばれる装置を用いている。リニアエンコーダーの出力に基づいて、キャリッジ７の位置を演算し、取得することができる。プラテン３に支持された記録媒体２の位置と、キャリッジ７の位置に基づき、記録媒体２の所望の位置にインクを吐出することで、所望の画像を記録することができる。
【００１６】
記録媒体２は、搬送ローラー５とピンチローラー６に挟まれ、搬送ローラー５の回転に連動して搬送される。ピンチローラー６は、搬送ローラー５の方向に押圧され、搬送ローラー５の回動に連動して連れ回る。搬送ローラー５には、駆動モーターが接続され、搬送量に応じた駆動モーターの制御がされている。
【００１７】
ペーパーガイド４は、裏面にヒーターが備わり、ヒーターの熱で温度を高く保つことができる。ペーパーガイド４は、記録後の記録媒体２を案内すると共に、加熱し、インクの乾燥と定着を促進する。また、プラテン３の裏面にもヒーターが備わり、記録媒体２を好適な温度に加熱することができ、適度な温度に保持された記録媒体２にインクを吐出することができる。適度な温度に加熱された記録媒体２は、付着したインクの乾燥性、定着性が良い状態である。
【００１８】
プラテン３の主走査方向の一方側の外側には、ワイピングユニット１０が備わる。ワイピングユニット１０は、記録ヘッドのノズル面を払拭し、清掃するワイパーが備わる。また、他方側の外側には、キャッピングユニット１１が備わる。キャッピングユニット１１は、ノズルが乾燥しないように、ノズル面を覆うキャップと、記録ヘッドから排出されるインクを受けるインク受が備わる。
【００１９】
ワイピングユニット１０、キャッピングユニット１１などにより記録ヘッドをメンテナンスすることで、記録ヘッドをインク吐出が正常に行えるような好適な状態に保つことができる。
【００２０】
記録ヘッドは、ワイピングユニット１０のワイパーによってノズル面を払拭し、ノズル面の汚れを落すことができる。また、インク受にインクを吐出することで増粘したインクやごみをノズルから排出し、また、メニスカスを整えることができる。記録ヘッドをクリーニングし、その後にキャップによりノズル面を覆い、乾燥を防止する。ノズル面にインクが付着していない状態でキャップをするので、キャップのインク汚れを防止することができる。
【００２１】
次に、キャッピングユニット１１について、図２から図４を用いて説明する。図２は、キャッピングユニットを上方から見た場合の図である。図３は、キャップとインク受を説明する図である。図４は、インク受を説明する図である。
【００２２】
キャッピングユニット１１は、フレーム２２にキャップ２０とインク受２１が固定されている。また、インク受２１から排出される廃インクを受ける廃インクトレー２３がフレーム２２の下部に挿抜可能に取り付けられている。
【００２３】
キャップ２０は、キャップ本体部３１とリップ部３０が備わる。リップ部３０は、記録ヘッド４０のノズル面４１に当接する部分であり、キャップ本体部３１はリップ部３０を支持する部分である。キャップ本体部３１に、内側にノズル列が入る周状の突出部分がリップ部３０である。リップ部３０がノズル面４１に配置されているノズルを覆い、ノズル内のインクの乾燥、増粘を防止する。キャップ本体部３１には、キャップ空間と外部を結ぶ細孔が備わる。この細孔によって、ノズル面４１を覆ったとき、及び解除したときの内部の空気圧の変動を緩和し、ノズルのメニスカスの破壊を防止している。細孔を長く、場合によっては屈曲させることで、実質的に内部から外部へ、外部から内部への空気の移動を抑えることができる。すなわち、キャップの変形などによる内部圧力の変動が無い場合に、空気の熱運動などによる移動だけが内外への空気の移動の要因となり、細孔を長くすることで、内外の空気の流通を実質的にほとんど無くしている。キャップ本体部３１の中央には窪みがあり、その窪みの側面または底面にキャップ本体部３１の外側に連通する細孔が設けられている。
【００２４】
キャップ本体部３１は、キャップフレーム３６に、取り付けられている。キャップ本体部３１とキャップフレーム３６の間にバネがあり、キャップ本体部３１をノズル面４１方向に付勢する。この、付勢により、ノズル面４１にリップ部３０を密着させることができる。リップ部３０は、可撓性の樹脂製であり、ノズル面４１に当接したときに変形をする。
【００２５】
インク受２１には、記録ヘッド４０に当接する第１当接部３３、第２当接部３４、第３当接部３５の３つの突起が備わる。また、インク受２１の内部は、インク排出路３８方向に向って漸次深くなる溝３９が備わる。その溝３９には、ノズル列に対向する位置に、凸部３２が配置されている。凸部３２の頂上が、ノズル列に沿って配置される。キャリッジ７を移動させ、凸部３２の頂上とノズル列とが対向する位置にすることができる。また、少しずらして、ノズル列を凸部３２の斜面と対向する位置、または溝３９の底面と対向する位置にすることができる。記録ヘッド４０から排出されたインクは、溝３９をインク排出路３８方向に流れ、さらに、インク排出路３８から廃インクトレー２３に流れ落ちる。
【００２６】
記録ヘッド４０とインク受２１が対向している状態で、フレーム２２をキャリッジ７方向に移動させ、第１当接部３３、第２当接部３４、第３当接部３５の３つの突起を記録ヘッド４０に当接させる。このとき、凸部３２とノズル列との間隔が一定の間隔となる。ノズルから染み出したインクが凸部３２に触れることで、滴状になってノズル面４１に留まることを防止できる。インク排出路３８の先端部には、突出部３７が備わる。排出されたインクが、突出部３７から滴り、廃インクトレー２３に落ちる。突出部３７が備わることで、インクが滴る位置を制御でき、インクの飛び散りを防止できる。突出部３７が無かった場合に、インク排出路３８の開口の縁の全周からインクが落ちることになるが、インクが縁で滴となり落ちずに固まり、積もり、やがて開口を塞いでしまう恐れがある。突出部３７があることで、この先端から滴が落ち、留まって固まったとしても、下方へ連なり、開口を塞ぐ恐れを低減ないし防止できる。
【００２７】
このように、インク受２１は、ノズルからのインク吐出の受けと、ポンプなどによりインク流路を加圧することで、ノズルから排出されるインクを受けることができる。また、記録ヘッド４０の吐出動作によるインクを受けることができる。インク受２１へのインク吐出のことをスピットとも言う。また、第１当接部３３、第２当接部３４、第３当接部３５の３つの突起をキャリッジ７に当接させて、記録ヘッド４０との間隔を一定にさせても良い。インク受２１は、フレーム２２に対してバネで記録ヘッド４０方向に付勢されている。このバネの力で、記録ヘッド４０に第１当接部３３、第２当接部３４、第３当接部３５を押し当てている。
【００２８】
記録ヘッド４０とキャップ２０が対向している状態で、フレーム２２をキャリッジ７方向に移動させ、第１当接部３３、第２当接部３４、第３当接部３５の３つの突起をキャリッジ７のキャッピングユニット１１側の面に当接させることができる。このとき、キャップ２０のリップ部３０がノズル面４１に当接し、ノズルをキャップすることができる。キャップ２０のノズル面４１に当接する部分の位置を、この３つの突起の先端の高さを基準として配置し、またキャリッジ７のキャッピングユニット１１側の面からのノズル面４１の突出量を一定の量に決めて配置することで、キャップ２０のノズル面４１への押圧の力、リップ部３０の変形量を制御することができる。
【００２９】
また、各記録ヘッド４０に対応して配置されているインク受２１とキャップ２０の位置関係は、インク受２１がキャップ２０よりプラテン３に近い側に配置されている。スピットは、記録動作のときにも行う場合がある。そのときは、このインク受２０の上空までキャリッジ７が移動し、インク受２０を上昇させないで、スピットを行う。なるべく移動量を少なくすることで、印刷速度の低下を低減している。
【００３０】
次に、キャッピングユニット１１の動作について、図５と図６を用いて説明する。図５は、キャップの動作を説明する図である。図６は、インクジェットプリンターのブロック図である。
【００３１】
制御手段６０は、演算、制御、判別、設定などの処理動作を実行するＣＰＵを備える制御手段である。制御手段６０はＲＯＭ６１に格納されている制御プログラムに従って動作する。ＲＡＭ６２は、記録データのバッファや制御手段６０による処理のワークエリア、データの一時記憶等に用いられる。制御手段６０によって、インクジェットプリンター１の各種制御が行われる。
【００３２】
キャップユニット昇降手段６３は、制御手段６０によって制御される。キャップユニット昇降手段６３はキャッピングユニット１１を上下に昇降させることができる。例えば、ノズル面４１をキャップ２０で覆うこと、インク受２１を記録ヘッド４０に当接させることができる。キャップユニット昇降手段６３は、例えば、フレーム２２の下部にカムを配置し、カムを回転させる機構を設け、カムの回転軸からの距離に応じて昇降させる方法などがある。カムの回転角度を制御することで、昇降の位置制御ができる。
【００３３】
キャリッジ位置検出センサー６４は、キャリッジ７の位置を検出するセンサーである。レール９に沿って配置されたリニアスケール１２の目盛をリニアセンサーで検出する。制御手段６０は、このセンサー出力に基づいてキャリッジ７の位置を演算して取得する。キャッピングユニット１１、プラテン３の位置などの位置情報は、予めＲＯＭ６１に記憶されており、その位置に対するキャリッジ７の位置を制御手段６０が把握できる。
【００３４】
キャリッジ移動モーター駆動回路６５は、制御手段６０の制御によって動作し、キャリッジ７を移動させるモーターを駆動する。
【００３５】
記録ヘッド駆動回路６６は、制御手段６０によって制御される。ヘッド駆動回路６６を介して、記録ヘッド４０を動作させる。記録ヘッド４０が複数搭載されている場合、ヘッド駆動回路６６は、各々の記録ヘッド４０を個別に駆動させることができる。ヘッド駆動回路６６は制御手段６０から入力された情報に基づいて、各記録ヘッド４０のインク吐出もしくは不吐出のタイミングを生成し、記録ヘッド４０を駆動させる。インク吐出をさせる場合は、オン波形を生成し、不吐出させる場合には、オフ波形を生成し、各記録ヘッド４０へ転送する。吐出のタイミングはキャリッジ７の位置に応じて決められる。
【００３６】
インクポンプ駆動回路６７は、インクカートリッジから記録ヘッド４０へインクを移動させるポンプを駆動する回路である。インクポンプ駆動回路６７は制御手段６０によって制御される。ポンプによってインク流路内のインクを記録ヘッド４０の方向に加圧し、インクカートリッジから記録ヘッド４０へのインクの供給、不要インクの排出などができる。
【００３７】
キャップ２０でノズル面４１をキャッピングすることで、ノズル面を常に好適に湿潤させておくことができ、インクの増粘を防止できる。また、スピットは、増粘したインクを排出し、ノズルのインクのメニスカスを好適な状態にするために行う。インク受２１のすぐ隣にキャップ２０が配置されているので、ノズルのインクが乾燥する間も無くキャッピングすることができる。複数の記録ヘッド４０夫々に対応するように、キャップ２０とインク受２１を配置することで、一度のキャリッジ７の移動で全ての記録ヘッド４０に対してスピットする位置とキャップする位置の変更が可能となる。
【００３８】
また、スピット時にキャップユニット昇降手段６３によって、インク受２１をキャリッジ７のキャッピングユニット１１側の面に接触はしないが、近くに移動させることで、インクミストの拡散を抑えることができるので好ましい。当接する位置まで異動させても良いが、ノズル面に対して適当な隙間があることが好ましい。このとき、ノズル列を凸部３２の斜面あるいは溝３９に対向する位置にすることで、インクを溝３９の深い位置に吐出でき、インクミストの拡散を抑えることができるので好ましい。さらに、キャップ２０までの移動距離も短くでき好ましい。
【００３９】
また、キャップ２０によってキャッピングした時に、キャップ空間内の圧力変動によってメニスカスが破壊され難くするために、リップ部３０の変形量を少なくし、また、当接力は軽くするのが好ましい。そのため、基準となる位置に対して精度良く各部品を配置する必要がある。
【００４０】
図５（ａ）は、キャップ位置に記録ヘッドを移動させた状態を示す図である。キャリッジ７をキャッピングユニット１１の上方に移動させた状態である。制御手段６０は、キャリッジ位置検出センサー６４の出力に基づいて、キャリッジ７の位置を取得し、キャリッジ移動モーター駆動回路６５を制御して、所望の位置にキャリッジ７を移動する。キャリッジ７をキャッピングユニット１１の上方に移動させることができる。マーク５１は、キャリッジ７に記されている。このマーク５１は、キャリッジ７の端に配置された記録ヘッド４０に対応する位置に記されている。特定の記録ヘッド４０に対応させてマーク５１が付けられている。フレーム２２に、インク受２１、キャップ２０が固定されている。このマーク５１があることで、記録ヘッド４０が、キャップ２０に相対する位置にあるか、インク受２１に相対する位置にあるかの判断をユーザーが容易に行うことができる。
【００４１】
図５（ｂ）は、キャッピングユニット１１を記録ヘッド４０の方向に移動させ、記録ヘッド４０をキャップした状態を示している。キャッピングユニット１１は、制御手段６０の制御によって、キャップユニット昇降手段６３を制御して昇降ができる。マーク５１の示す位置によって、記録ヘッド４０にキャップ２０が相対する位置にあることが分かる。また、記録ヘッド４０のノズル面４１にリップ部３０が当接し、キャップしている状態である。
【００４２】
また、キャリッジ７にキャップ受２１の第１当接部３３、第２当接部３４、第３当接部３５の３つの突起が当接し、キャッピングユニット１１とキャリッジ７との間隔が一定となるようにしている。このとき、バネによって、キャップ本体部３１は、ノズル面４１方向に付勢されていると共に、ノズル面にリップ部３０が当接して変形する。キャッピングユニット１１とキャリッジ７との間隔と、バネにより、ノズル面にリップ部３０が好適な圧力で接触することになる。また、ノズル面、ノズルの乾燥を抑制できる。
【００４３】
記録ヘッド４０は、キャリッジ７のキャッピングユニット１１側の面から突出するように、ノズル面４１が配置されている。また、キャップ２０とインク受２１との位置関係は、例えば、インク受２１が、キャップ２０より、キャリッジ７側に突出した配置としている。
【００４４】
図５（ｃ）は、キャッピングユニット１１を記録ヘッド４０から離した状態を示している。マーク５１の示す位置によって、記録ヘッド４０にインク受２１が相対する位置にあることが分かる。また、記録ヘッド４０からインク受２１の第１当接部３３、第２当接部３４、第３当接部３５の３つの突起が離れた状態である。キャップ２０のリップ部３０の先端は、インク受２１の第１当接部３３、第２当接部３４、第３当接部３５の３つの突起の先端より低く、３つの突起がキャリッジ７に当接しても、記録ヘッド４０のノズル面はキャリッジ７には接触しないようになっている。
【００４５】
図５（ｄ）は、キャッピングユニット１１を記録ヘッド４０の方向に移動させ、記録ヘッド４０に、インク受２１の第１当接部３３、第２当接部３４、第３当接部３５の３つの突起を、当接させた状態を示している。マーク５１の示す位置によって、記録ヘッド４０にインク受２１が相対する位置にあることが分かる。この状態でノズル面４１と凸部３２が所定間隔で対向する。また、このとき、キャップ２０のリップ部３０はキャリッジに当接しないことが好ましい。異物が付着を予防できる。異物の付着により、ノズル面４１を覆ったときに密閉不良などが生じる恐れがある。
【００４６】
記録ヘッド４０が、インク受２１に相対する位置にあるときに、記録ヘッド駆動回路６６を制御して、スピットを行う。また、スピットを行う場合には、ノズル列の位置を、凸部３２の先端ではなく、斜面や、溝３９に対向する位置にすることが好ましい。このようにする場合は、キャップユニット昇降手段６３を動作させる前のキャリッジ７の移動において、予め決めた吐出する位置に移動させる。ノズルから、溝３９の底面までの距離は、凸部３２までの距離より長くできるので、キャリッジ７を移動させるだけでインクの跳ね返りや、インクミストの影響を低減させることができる。
【００４７】
キャップ２０とインク受２１が隣同士に配置されているので、キャリッジ７の移動距離を短くでき、容易に素早く、キャッピングとインクの排出を切り換えることができる。また、ノズルと凸部３２の距離を一定の距離に保つことができるので、インクがノズル面に付着することなく排出できる。
【産業上の利用可能性】
【００４８】
本発明はインクジェットプリンターに利用できる。特に大型のインクジェットプリンターに利用できる。
【符号の説明】
【００４９】
１  インクジェットプリンター
２  記録媒体
３  プラテン
４  ペーパーガイド
５  搬送ローラー
６  ピンチローラー
７  キャリッジ
８  無端ベルト
９  レール
１０  ワイピングユニット
１１  キャッピングユニット
２０  キャップ
２１  インク受
２２  フレーム
２３  廃インクトレー
３０  リップ部
３１  キャップ本体部
３２  凸部
３３  第１当接部
３４  第２当接部
３５  第３当接部
３６  キャップフレーム
３７  突出部
３８  インク排出路
３９  溝
４０  記録ヘッド
４１  ノズル面
５１  マーク
【図１】
2017154350.tif 000003
【図２】
2017154350.tif 000004
【図３】
2017154350.tif 000005
【図４】
2017154350.tif 000006
【図５】
2017154350.tif 000007
【図６】
2017154350.tif 000008